(57)【要約】【課題】ＭＰ３ファイルを再生可能なＣＤプレーヤにおいて、ＭＰ３ファイルのＩＤ３タグ情報のタイトル情報、アーティスト情報又はアルバム情報を表示部に表示したとき、表示部に表示した文字が文字化けすることがあった。【解決手段】ＭＰ３ファイルを再生可能なＣＤプレーヤにおいて、ＩＤ３タグ情報を表示する表示手段と、ＭＰ３ファイルのＩＤ３タグ情報を記憶する記憶手段と、記憶手段に記憶されたＩＤ３タグ情報を読み出し、読み出されたＩＤ３タグ情報の文字コードを解析する解析手段とを有し、解析手段が解析したＡＳＣＩＩコードの０×４０〜０×７Ｆの範囲以外の文字コードがＩＤ３タグ情報にある場合、記憶手段に記憶されたＩＤ３タグ情報からコメント情報を読み出し表示手段に表示する制御手段を備える。【選択図】　図２
2004127363.tif 000002
【特許請求の範囲】
【請求項１】
ＭＰ３形式の圧縮オーディオデータ及びＭＰ３形式の圧縮オーディオデータに付加された付加情報を記録した情報記録媒体において、
前記付加情報は、コメント情報を備え、前記コメント情報は、ＡＳＣＩＩで規定された０×４０から０×７Ｆの範囲の文字コードが記録されたことを特徴とする情報記録媒体。
【請求項２】
ＭＰ３形式の圧縮オーディオデータとＡＳＣＩＩで規定された０×４０から０×７Ｆの範囲の文字コードのコメント情報を含む付加情報が記録された情報記録媒体を再生する情報記録媒体再生装置において、
ＭＰ３形式の圧縮オーディオデータと前記付加情報を再生する再生手段と、
前記再生手段が再生する前記付加情報を表示する表示手段と、
前記再生手段が再生した前記付加情報を記憶する記憶手段と、
前記記憶手段に記憶された前記付加情報を読み出して前記表示手段に表示する制御をする制御手段とを有し、
該制御手段は、前記読み出された付加情報の文字コードを解析する解析手段を有し、解析した文字コードに前記０×４０から０×７Ｆの範囲の文字コード以外の文字コードが前記付加情報にある場合、前記記憶手段に記憶された付加情報から前記コメント情報を読み出し前記表示手段に表示する制御をすることを特徴とする情報記録媒体再生装置。
【発明の詳細な説明】
【０００１】
【発明の属する技術分野】
本発明は、圧縮オーディオデータ及び圧縮オーディオデータに付加された付加情報が記録された情報記録媒体並びにその情報記録媒体を再生可能な情報記録媒体再生装置に関する。
【０００２】
【従来の技術】
従来、オーディオデータを圧縮する圧縮技術として、ＭＰ３（ＭＰＥＧ−１　Ａｕｄｉｏ　Ｌａｙｅｒ−３）がある。ＭＰ３の圧縮技術では、元のオーディオデータの音質を殆ど劣化させることなく、データ量を約１０分の１まで圧縮することができる。ＭＰ３形式の圧縮オーディオデータは、ＣＤ−Ｒ（Ｃｏｍｐａｃｔ　Ｄｉｓｃ−Ｒｅｃｏｒｄａｂｌｅ）やＣＤ−ＲＷ（Ｃｏｍｐａｃｔ　Ｄｉｓｃ−ＲｅＷｒｉｔａｂｌｅ）等の情報記録媒体にファイルとして記録することができる。ＣＤ−ＲやＣＤ−ＲＷ等の情報記録媒体に記録されたＭＰ３形式の圧縮オーディオデータのファイル（以下、ＭＰ３ファイルという。）は、ＭＰ３ファイルをデコードするＭＰ３デコーダを備えたＣＤプレーヤにより再生することができる（例えば、特許文献１参照。）。
【０００３】
ＭＰ３ファイルには、ＭＰ３ファイルの末尾に１２８バイトのデータ領域が付加されている形式のものがある。この形式は、ＩＤ３ｖ１（ＩＤ３　ｖｅｒｓｉｏｎ　１）と呼ばれている。ＭＰ３ファイルの末尾に付加されたデータ領域には、ＭＰ３ファイルのタイトル情報、アーティスト情報、アルバム情報、ＭＰ３ファイルを作成した年等の年度情報、ＭＰ３ファイルのコメント情報、ＭＰ３ファイルのジャンル情報、トラックナンバー情報のＩＤ３タグ情報（付加情報）を記録することができる。このＩＤ３タグ情報は、コンピュータを用いて入力及び編集を行うことができる。また、特許文献１に開示されているようなＣＤ−ＲやＣＤ−ＲＷ等に記録されたＭＰ３ファイルを再生することができるＣＤプレーヤでは、再生しているオーディオデータのトラックナンバーや再生時間の他にＩＤ３タグ情報を表示することができる。
【０００４】
【特許文献１】
特開２００２−２３６４９８号公報　（従来の技術、第１図）
【０００５】
【発明が解決しようとする課題】
特許文献１に開示されているようなＣＤ−ＲやＣＤ−ＲＷ等に記録されたＭＰ３ファイルを再生することができるＣＤプレーヤにおいて、ＭＰ３ファイルのＩＤ３タグ情報（例えば、タイトル情報やアーティスト情報）を表示する場合、表示部に表示された文字が文字化けすることがあった。
【０００６】
例えば、１バイト文字（１バイトの文字コードに対応する英数字や記号等の文字）のみを表示する機能を有するＣＤプレーヤでは、予め１バイト文字に対応した文字コードが記憶されたメモリを備えている。このようなＣＤプレーヤにおいてＩＤ３タグ情報として、２バイト文字（２バイトの文字コードに対応する漢字等の文字）に対応する文字コードを読み取った場合は、メモリに２バイト文字に対応する文字コードが記憶されていないので、表示部に２バイト文字を正しく表示することができない。したがって、１バイト文字のみを表示する機能を有するＣＤプレーヤでは、ＭＰ３ファイルを再生するとき、再生するＭＰ３ファイルのＩＤ３タグ情報に２バイト文字が含まれていると、表示部に表示したその２バイト文字に対応する文字が文字化けしてしまう。
【０００７】
また、２バイト文字を表示する機能を有するＣＤプレーヤでは、１バイト文字及び２バイト文字を表示部に表示することができる。しかし、２バイト文字を表示する機能を有するＣＤプレーヤにおいて、ＩＤ３タグ情報を表示部に表示するとき、後述するように表示部に表示した文字が文字化けすることある。
【０００８】
例えば、コンピュータを用いてＩＤ３タグ情報を入力又は編集した文字に対応する文字コードが、ＣＤプレーヤが有する表示機能に対応していない文字コードである場合、または、ＩＤ３タグ情報を入力又は編集した文字に対応する文字コードがメモリに記憶されていない場合、表示部に表示した文字が文字化けしてしまう。
【０００９】
ＭＰ３ファイルを再生することができるＣＤプレーヤにおいて、ＩＤ３タグ情報を表示部に表示する文字の文字化けを防ぐために、２バイト文字を表示する機能を備えた表示部と全ての２バイト文字の文字コードを記憶させたメモリを備える必要がある。しかし、２バイト文字を表示するためには、表示部の表示精度を高くする必要がある（例えば、表示ドットを細かくする。）。また、全ての２バイト文字の文字コードを記憶するためには、記憶容量の大きいメモリが必要となる。このため、ＣＤプレーヤの製造コストが高くなるという課題がある。
【００１０】
【課題を解決するための手段】
上記の課題を解決するために、本願の請求項１記載の発明は、ＭＰ３形式の圧縮オーディオデータ及びＭＰ３形式の圧縮オーディオデータに付加された付加情報を記録した情報記録媒体において、前記付加情報は、コメント情報を備え、前記コメント情報は、ＡＳＣＩＩで規定された０×４０から０×７Ｆの範囲の文字コードが記録されたことを特徴とする。
【００１１】
また、本願の請求項２記載の発明は、ＭＰ３形式の圧縮オーディオデータとＡＳＣＩＩで規定された０×４０から０×７Ｆの範囲の文字コードのコメント情報を含む付加情報が記録された情報記録媒体を再生する情報記録媒体再生装置において、ＭＰ３形式の圧縮オーディオデータと前記付加情報を再生する再生手段と、前記再生手段が再生する前記付加情報を表示する表示手段と、前記再生手段が再生した前記付加情報を記憶する記憶手段と、前記記憶手段に記憶された前記付加情報を読み出して前記表示手段に表示する制御をする制御手段とを有し、該制御手段は、前記読み出された付加情報の文字コードを解析する解析手段を有し、解析した文字コードに前記０×４０から０×７Ｆの範囲の文字コード以外の文字コードが前記付加情報にある場合、前記記憶手段に記憶された付加情報から前記コメント情報を読み出し前記表示手段に表示する制御をすることを特徴とする。
【００１２】
【発明の実施の形態】
先ず、本発明の情報記録媒体について説明する。
本実施例の情報記録媒体は、ＭＰ３ファイルを記録することができるＣＤ−ＲやＣＤ−ＲＷ等である。ＭＰ３ファイルは、ＭＰ３ファイルの末尾にＩＤ３タグ情報が付加されている。このＩＤ３タグ情報としては、ＩＤ３ｖ１形式の場合、ＭＰ３ファイルのタイトル情報、アーティスト情報、アルバム情報、ＭＰ３ファイルを作成した年等の年度情報、ＭＰ３ファイルのコメント情報、ＭＰ３ファイルのジャンル情報及びトラックナンバー情報がある。
【００１３】
本実施例の情報記録媒体は、このＩＤ３タグ情報中のコメント情報をＡＳＣＩＩ（Ａｍｅｒｉｃａｎ　Ｓｔａｎｄａｒｄ　Ｃｏｄｅ　ｆｏｒ　Ｉｎｆｏｒｍａｔｉｏｎ　Ｉｎｔｅｒｃｈａｎｇｅ）で規定された０×４０から０×７Ｆの範囲の文字コードを用いて、ＭＰ３ファイルに関する情報（例えば、トラックネーム等）を記録するようにした。ここで、０×は、０×に続く数値が１６進数を表されていることを示す記号である。図１は、ＡＳＣＩＩで規定された文字コード表を示す図である。図１に示すように、０×４０〜０×７Ｆの範囲の文字コードは、アルファベットと記号に割り当てられている。この０×４０〜０×７Ｆの範囲の文字コードは、文字コード体系（例えば、ＪＩＳコードやシフトＪＩＳコード等）によらず図１に示すアルファベットと記号が割り当てられている。
【００１４】
次に、本発明の情報記録媒体再生装置について説明する。
図２は、本実施例の情報記録媒体再生装置の構成を示すブロック図である。本実施例の情報記録媒体再生装置は、ＣＤ−ＤＡの他、上述した実施例の情報記録媒体であるＣＤ−ＲやＣＤ−ＲＷ等が再生可能なＣＤプレ−ヤである。
【００１５】
図２において、１はスピンドルモータ、２はサーボ制御部、３は光ピックアップ、４は再生アンプ、５は制御部、６は信号処理部、７はＭＰ３デコーダ、８はデジタルアナログ変換器（ＤＡＣ：Ｄｉｇｉｔａｌ　ｔｏ　Ａｎａｌｏｇ　Ｃｏｎｖｅｒｔｅｒ）、９はアンプ、１０は、出力端子、１１は記憶部、１２は表示部、１３は操作部を示す。なお、ＣＤは、ＣＤ−ＤＡ、ＣＤ−ＲまたはＣＤ−ＲＷ等である。
【００１６】
制御部５は、ＣＤに記録されているオーディオデータが非圧縮オーディオデータか圧縮オーディオデータであるＭＰ３ファイルかを判別する判別手段を備えている。判別手段は、非圧縮オーディオデータかＭＰ３ファイルかの判別をターンテーブルに固定されたＣＤのＴＯＣ（Ｔａｂｌｅ　Ｏｆ　Ｃｏｎｔｅｎｔｓ）情報中に絶対時間（分、秒、フレーム）を示す目次情報が記録されているか又は後述するアドレス情報が記録されているかを検出することにより行う。制御部５は、上記目次情報を再生した場合、ＣＤに記録されているオーディオデータが非圧縮オーディオデータであると判別する。ＭＰ３ファイルが記録されたＣＤのＴＯＣ情報中には、ＭＰ３ファイルのファイルの位置を示すアドレス情報が記録されている。制御部５は、このアドレス情報を再生した場合、ＣＤに記録されているオーディオデータがＭＰ３ファイルであると判別する。
【００１７】
図２において、スピンドルモータ１に固定されたターンテーブルは、ＣＤを固定する。操作部１３から再生開始の指示が入力されると、サーボ制御部２は、スピンドルモータ１を予め定められた線速度で回転駆動させる制御をする。また、サーボ制御部２は、光ピックアップ３から照射するレーザ光をＣＤのピット列を正しくトレースするために、図示しないフォーカスサーボ回路とトラッキングサーボ回路を制御する。
【００１８】
ＣＤに非圧縮オーディオデータが記録されているとき、光ピックアップ３は、ＣＤに記録されているＴＯＣ情報中の絶対時間情報を示す目次情報を再生するので、制御部５は、ＣＤに記録されたオーディオデータが非圧縮オーディオデータであると判別する。光ピックアップ３が再生したデジタルオーディオデータは、再生アンプ４により波形整形及び増幅され制御部５に入力する。制御部５は、非圧縮オーディオデータであると判別したデジタルオーディオデータを信号処理部６に入力する制御をする。また、制御部５は、ＣＤから再生されたＴＯＣ情報を記憶部１１に記憶する制御をする。
【００１９】
信号処理部６は、デジタルオーディオデータの復調、フォーカスエラー信号やトラッキングエラー信号等のエラー信号、同期信号の抜き出し等をしてデジタルオーディオデータをＤＡＣ８に入力する。ＤＡＣ８は、デジタルオーディオデータをアナログオーディオ信号へ変換しアンプ９に入力する。ＤＡＣ８から入力されたアナログオーディオ信号は、アンプ９により増幅され出力端子１０に接続したスピーカ等から出力される。
【００２０】
他方、ＣＤに圧縮オーディオデータであるＭＰ３ファイルが記録されている場合、光ピックアップ３がＣＤに記録されているＴＯＣ情報中のＭＰ３ファイルのファイルの位置を示すアドレス情報を再生するので、制御部５は、ＣＤに記録されたオーディオデータがＭＰ３ファイルであると判別する。光ピックアップ３が再生したデジタルオーディオデータは、再生アンプ５により波形整形及び増幅され制御部５に入力する。制御部５は、ＭＰ３ファイルであると判別したデジタルオーディオデータをＭＰ３デコーダ７に入力する制御をする。また、制御部５は、ＣＤから再生されたＭＰ３ファイルのＩＤ３タグ情報を記憶部１１に記憶する制御をする。
【００２１】
ＭＰ３デコーダ７は、圧縮されたデジタルオーディオデータをデコードしてＤＡＣ８に入力する。ＤＡＣ８は、デジタルオーディオデータをアナログオーディオ信号へ変換しアンプ９に入力する。ＤＡＣ８から入力されたアナログオーディオ信号は、アンプ９により増幅され出力端子１０に接続したスピーカ等から出力される。
【００２２】
図２に示すように、制御部５に接続された記憶部１１は、光ピックアップ３がＣＤから再生したＴＯＣ情報又はＭＰ３ファイルのＩＤ３タグ情報を記憶する。制御部５に接続された表示部１２は、トラックの再生時間の表示、トラックナンバーの表示、ＭＰ３ファイルのファイルネーム、ＭＰ３ファイルのＩＤ３タグ情報の表示等を行う。また、制御部５に接続された操作部１３は、再生ボタン、再生一時停止ボタン、再生停止ボタン、早送りボタン、早戻しボタン、トラックサーチボタン、表示部１２の表示を後述するように切り換える切換ボタン等を備えている。
【００２３】
図３は、操作部１３の切換ボタンにより表示部１２の表示の切り換え動作を説明する図である。
図３に示すように、（ａ）はトラックナンバーを表示部１２に表示するステップ、（ｂ）は再生経過時間を表示部１２に表示するステップ、（ｃ）は再生残時間を表示部１２に表示するステップ、（ｄ）はＭＰ３ファイルのファイルネームを表示部１２に表示するステップ、（ｅ）はＭＰ３ファイルのＩＤ３タグ情報中のタイトル情報を表示部１２に表示するステップ、（ｆ）はＭＰ３ファイルのＩＤ３タグ情報中のアーティスト情報を表示部１２に表示するステップ、（ｇ）はＭＰ３ファイルのＩＤ３タグ情報中のアルバム情報を表示部１２に表示するステップである。制御部５は、操作部１３の切換ボタンが押される毎に、表示部１２にステップ（ａ）からステップ（ｇ）の順序で表示を切り換える制御をする。制御部５の判別手段が非圧縮オーディオデータであると判別したとき、制御部５は、上述したステップ（ｄ）からステップ（ｇ）の各ステップを表示する制御をしない。このように、表示部１２に表示する情報を切り換えることできることにより、表示部１２の表示領域を小さくすることが可能となる。
【００２４】
また、制御部５は、記憶部１１に記憶されたＭＰ３ファイルのＩＤ３タグ情報を読み出して、ＩＤ３タグ情報の文字情報の文字コードを解析する解析手段を備えている。ＭＰ３ファイルを再生するとき、制御部５は、記憶部１１に記憶されたＭＰ３ファイルのＩＤ３タグ情報を読み出し、ＩＤ３タグ情報中のタイトル情報、アーティスト情報及びアルバム情報の文字情報の文字コードを解析する。制御部５は、解析した文字コードに図１に示す０×４０から０×７Ｆの範囲以外の文字コードがあるか否かを判定する。制御部５は、少なくともＡＳＣＩＩで規定された０×４０〜０×７Ｆの範囲の文字コードに割り当てられた文字を含む１バイト文字等が予め記憶されているメモリを備えている。このため、本実施例のＣＤプレーヤでは、０×４０〜０×７Ｆの範囲の文字コードに割り当てられた文字を表示することができる。
【００２５】
本実施例のＣＤプレーヤで再生するＭＰ３ファイルが記録されたＣＤ−Ｒ又はＣＤ−ＲＷには、予めＩＤ３タグ情報中のコメント情報として、ＭＰ３ファイルに関する情報（例えば、トラックネーム等）がＡＳＣＩＩで規定された０×４０〜０×７Ｆの範囲の文字コードで記録されている。
【００２６】
本実施例のＣＤプレーヤがＭＰ３ファイルを再生時の表示部１２の表示動作について説明する。
【００２７】
ＭＰ３ファイルを再生時において、制御部５が操作部１３の切換ボタンにより、図３に示すステップ（ｅ）のＩＤ３タグ情報中のタイトル情報を表示部１２に表示する制御をするとき、制御部５は、タイトル情報の文字情報にＡＳＣＩＩで規定された０×４０〜０×７Ｆの範囲以外の文字コードがあると判定すると、タイトル情報を表示する代わりにＩＤ３タグ情報中のコメント情報を表示部１２に表示する制御をする。
【００２８】
制御部５が操作部１３の切換ボタンにより、図３に示すステップ（ｆ）のアーティスト情報を表示部１２に表示する制御をするとき、制御部５は、アーティスト情報の文字情報にＡＳＣＩＩで規定された０×４０〜０×７Ｆの範囲以外の文字コードがあると判定すると、アーティスト情報を表示する代わりにＩＤ３タグ情報中のコメント情報を表示部１２に表示する制御をする。
【００２９】
制御部５が操作部１３の切換ボタンにより、図３に示すステップ（ｇ）のアルバム情報を表示部１２に表示する制御をするとき、制御部５は、アルバム情報の文字情報にＡＳＣＩＩで規定された０×４０〜０×７Ｆの範囲以外の文字コードがあると判定すると、アルバム情報を表示する代わりにＩＤ３タグ情報中のコメント情報を表示部１２に表示する制御をする。
【００３０】
したがって、制御部５は、ＭＰ３ファイルのＩＤ３タグ情報中のタイトル情報、アーティスト情報及びアルバム情報の文字の文字コードがＡＳＣＩＩで規定された０×４０〜０×７Ｆの範囲以外の文字コードがあると判定した場合、ＩＤ３タグ情報中のコメント情報を表示部１２に表示するように制御する。本実施例のＭＰ３ファイルが記録されたＣＤ−Ｒ又はＣＤ−ＲＷには、ＩＤ３タグ情報中のコメント情報に文字化けする虞のない文字コードが記録されている。このため、使用者は、表示部１２に表示された文字を読み取ることによって、再生しているＭＰ３ファイルに関する情報を得ることができる。
【００３１】
なお、本実施例のＭＰ３ファイルが記録されたＣＤ−ＲやＣＤ−ＲＷ等の情報記録媒体は、コンピュータに接続されたドライブ装置により再生する際に、ＩＤ３タグ情報中のタイトル情報、アーティスト情報及びアルバム情報を表示するとき、１バイト文字及び２バイト文字に拘わらずＩＤ３タグ情報をコンピュータに接続されたモニターに表示することができる。使用者は、モニターに表示されたＩＤ３タグ情報を読み取ることができるので、ＭＰ３ファイルに関する情報を得ることができる。また、本実施例のＣＤプレーヤは、本実施例の情報記録媒体を再生するとき、表示部１２にＩＤ３タグ情報を表示した文字が文字化けする場合は、ＩＤ３タグ情報中のコメント情報を表示部１２に表示することができる。使用者は、表示部１２に表示されたコメント情報を読み取ることができるので、ＭＰ３ファイルに関する情報を得ることができる。したがって、ＭＰ３ファイルが記録されたＣＤ−ＲやＣＤ−ＲＷ等の情報記録媒体をコンピュータとＣＤプレーヤで使用することができる。
【００３２】
【発明の効果】
本発明の情報記録媒体再生装置によれば、情報記録媒体に記録された圧縮オーディオデータに付加された付加情報を表示部に表示するとき、表示部に表示された文字の文字化けを防ぐことができる情報記録媒体再生装置及び情報記録媒体を提供することができる。
【図面の簡単な説明】
【図１】文字コード表を示す図。
【図２】本発明の実施例である情報記録媒体再生装置の構成を示す図。
【図３】切換ボタンによる表示部１２の表示の切り換え動作を説明する図。
【符号の説明】
１　　スピンドルモータ
２　　サーボ制御部
３　　光ピックアップ
４　　再生アンプ
５　　制御部
６　　信号処理部
７　　ＭＰ３デコーダ
８　　ＤＡＣ
９　　アンプ
１０　　出力端子
１１　　記憶部
１２　　表示部
１３　　操作部
【図１】
2004127363.tif 000003
【図２】
2004127363.tif 000004
【図３】
2004127363.tif 000005